(57)【要約】【課題】歯科用Ｘ線システムで使用するためのバイトピースを提供する。【解決手段】実質的に直線状の第１部分が、湾曲した第２部分まで延びている。第１部分とは反対側の第２部分の端部は、第２部分の端部と隣接して減少断面領域を有する。この領域は、歯科用Ｘ線システムの作動中に患者の頭部の位置を固定するため、患者の向き合った上下の前歯間に受け入れられる。領域及び第２部分には移行縁部が実質的になく、歯科用Ｘ線システムの作動中に撮影される放射線写真の品質、患者の快適性のレベル、患者の頭部の位置の安定性の各々を向上する。【選択図】図１
2008535631.tif 000002
【特許請求の範囲】
【請求項１】
歯科用Ｘ線システムで使用するためのバイトピースにおいて、
第２部分まで延びる第１部分と、
前記第１部分とは反対側の前記第２部分の端部であって、この端部と隣接して縮径断面領域を有し、この領域は、前記歯科用Ｘ線システムの作動中に患者の頭部の位置を固定するため、患者の上下の向き合った前歯間に受け入れられるように形成されており且つ配置されており、前記領域及び前記第２部分には、移行縁部が実質的にない、端部とを含む、バイトピース。
【請求項２】
請求項１に記載のバイトピースにおいて、
前記領域は、実質的に楕円形である、バイトピース。
【請求項３】
請求項１に記載のバイトピースにおいて、
前記第２部分は、球状部を形成する、バイトピース。
【請求項４】
請求項１に記載のバイトピースにおいて、
少なくとも一つの溝が前記領域と隣接して形成されている、バイトピース。
【請求項５】
請求項４に記載のバイトピースにおいて、
前記少なくとも一つの溝は周溝である、バイトピース。
【請求項６】
請求項４に記載のバイトピースにおいて、
前記少なくとも一つの溝は、前記第１部分と前記第２部分との間に少なくとも一つの隙間角度を形成する、バイトピース。
【請求項７】
請求項６に記載のバイトピースにおいて、
前記少なくとも一つの隙間角度は、約２０°乃至約５０°である、バイトピース。
【請求項８】
請求項４に記載のバイトピースにおいて、
前記少なくとも一つの溝は、前記第１部分と前記第２部分との間の上区分及び下区分の少なくとも一方に沿って少なくとも一つの隙間角度を形成する、バイトピース。
【請求項９】
請求項１に記載のバイトピースにおいて、
前記バイトピースはポリマーである、バイトピース。
【請求項１０】
請求項９に記載のバイトピースにおいて、
前記ポリマーは、リサイクル可能であり且つ使い捨てである、バイトピース。
【請求項１１】
請求項１０に記載のバイトピースにおいて、
前記ポリマーは、オートクレーブと関連した温度に耐えることができない、バイトピース。
【請求項１２】
歯科用Ｘ線システムで使用するための顎置きにおいて、
患者の顎を載せて固定するための凹所が形成されており、前記凹所と隣接してスロットが形成された本体と、
第２部分まで延びる第１部分であって、前記スロットに摺動可能に受け入れられる第１部分と、
前記第１部分とは反対側の前記第２部分の端部であって、この端部と隣接して縮径断面領域を有し、この領域は、前記歯科用Ｘ線システムの作動中に患者の頭部の位置を固定するため、患者の上下の向き合った前歯間に受け入れられるように形成されており且つ配置されており、前記領域及び前記第２部分には、移行縁部が実質的にない、端部とを含む、顎置き。
【請求項１３】
請求項１２に記載の顎置きにおいて、
前記領域は、実質的に楕円形である、顎置き。
【請求項１４】
請求項１２に記載の顎置きにおいて、
前記第２部分は、球状部を形成する、顎置き。
【請求項１５】
請求項１２に記載の顎置きにおいて、
少なくとも一つの溝が前記領域と隣接して形成されている、顎置き。
【請求項１６】
請求項１５に記載の顎置きにおいて、
前記少なくとも一つの溝は周溝である、顎置き。
【請求項１７】
請求項１５に記載の顎置きにおいて、
前記少なくとも一つの溝は、前記第１部分と前記第２部分との間に少なくとも一つの隙間角度を形成する、顎置き。
【請求項１８】
請求項１７に記載の顎置きにおいて、
前記少なくとも一つの隙間角度は、約２０°乃至約５０°である、顎置き。
【請求項１９】
請求項１５に記載の顎置きにおいて、
前記少なくとも一つの溝は、前記第１部分と前記第２部分との間の上区分及び下区分の少なくとも一方に沿って少なくとも一つの隙間角度を形成する、顎置き。
【請求項２０】
請求項１２に記載の顎置きにおいて、
前記第１部分は、外方に延びるリブを含む、顎置き。
【請求項２１】
請求項１２に記載の顎置きにおいて、
前記第１部分は、前記本体の上方の前記第２部分の最小高さ位置を提供する、外方に延びるストップを含む、顎置き。
【請求項２２】
請求項１２に記載の顎置きにおいて、
第１端とこの第１端とは反対側の第２端を各々有する第１部材及び第２部材を含み、前記第１端は、前記本体によって回転可能に支持されており、前記第２端は、前記顎置きに位置決めした患者の頭部と接触するように形成されている、顎置き。
【請求項２３】
請求項２０に記載の顎置きにおいて、
前記第１及び第２の部材は、患者の頭部を中心位置に向けるため、夫々の第１端を中心として対称をなして回転できる、顎置き。
【請求項２４】
請求項２０に記載の顎置きにおいて、
前記第１及び第２の部材を所定の向きで固定するため、前記本体に配置された戻り止めを含む、顎置き。
【発明の詳細な説明】
【技術分野】
【０００１】
本発明は、歯科用機器で使用するためのバイトピース構造に関し、更に詳細には、歯科用Ｘ線システムで使用されるバイトピース構造に関する。
【背景技術】
【０００２】
Ｘ線システムは、歯科の専門家を補助するため、歯科産業で一般的に使用されている。一つの種類の歯科用Ｘ線システムは、患者の顎全体の歯生状態の連続的な放射線写真を撮影するため、診断パノラマ技術を使用する。パノラマ放射線写真は、Ｘ線源とＸ線を受け取る放射線感受性表面との間に患者を置くことによって行われる。Ｘ線源及びＸ線を受け取る放射線感受性表面は、互いから所定関係に維持され、Ｘ線ビームを患者に連続的に差し向ける際に患者の頭部の周囲で回転させる。
【０００３】
Ｘ線源及びＸ線を受け取る放射線感受性表面が、垂直軸線を中心とした所定の経路内を回転し、垂直方向に配向された焦点トラフ(focal trough)を形成する。焦点トラフは、顎置きに載せた患者の顎に対して位置決めされる。Ｘ線システムのオペレータは、患者の顎の位置を確立した後、患者の頭部が正しく配向されていることを確かめなければならない。患者の頭部を所望の水平位置に位置決めするため、患者のフランクフォート平面を水平に位置決めする。フランクフォート平面は、外耳道を通過し且つ眼球の真下の眼窩下骨頂部を横切る仮想線である。同様に、患者の頭部を所望の垂直方向位置に位置決めしなければならない。これは、患者の正中矢状平面を垂直に中心決めすることによって行われる。矢状平面は、口を二つの半部（左右の半部）に分割する長さ方向垂直平面を形成する。
【０００４】
垂直方向で正しく位置決めされないと、歯列弓が、歯科トラフ (dental trough)を前領域で所定角度で通過することとなる。その結果、上顎骨及び下顎骨を通るフィルムの前部分で画像が歪み、歯根尖(root tips) の奥行きが縮まり、硬口蓋が上顎の歯根尖と重なり、焦点トラフの縁部を越えて延びる歯生状態が不鮮明になる。正しい垂直位置が得られないと、歯列弓が焦点トラフ内の横方向（中央）に位置決めされなくなることもある。患者の頭部が焦点トラフ内の中央に置かれていない場合には、歯列弓の一方の側がフィルムに近くなり、他方の側がフィルムから遠くなる。このように中央に置かれていない場合には、画像の一方の側の倍率が高くなり、他方の側の倍率が低くなる。この他の悪影響は、Ｘ線ビームが歯列弓を垂直に通過しないことにより、歯の固有の重なり量が画像で増大してしまうということである。
【０００５】
バイトピースは、バイトブロックとも呼ばれ、オペレータが患者を焦点トラフ内で適正に配置するのを補助するために使用される。これは、患者が顎を顎置きに置いた状態でバイトピースを噛ませることによって行われる。しかしながら、従来のバイトピース構造は、大きく且つ煩わしいデバイスであって、使用する上で快適でなかった。更に、従来のバイトピースは、多くの場合、縁部即ち断面輪郭がいきなり変化する場所があり、これにより不明瞭さを生じ、即ち明瞭さを大幅に低下し、及び従って、放射線写真の品質を低下した。
【発明の開示】
【発明が解決しようとする課題】
【０００６】
安価に製造され、使用が快適であり、患者の頭部の位置を固定する上で安定性を提供し、結果的に得られる放射線写真を不明瞭にしない、歯科用Ｘ線デバイスで使用するためのバイトピースが必要とされている。
【課題を解決するための手段】
【０００７】
本発明は、第１部分が第２部分まで延びる、歯科用Ｘ線システムで使用するためのバイトピースに関する。第１部分とは反対側の第２部分の端部は、この端部と隣接して縮径断面領域を有し、この領域は、歯科用Ｘ線システムの作動中に患者の頭部の位置を固定するため、患者の上下の向き合った前歯間に受け入れられるように形成されており且つ配置されている。領域及び第２部分には、移行縁部が実質的にない。
【０００８】
本発明は、更に、患者の顎を載せて固定するための凹所が形成されており、凹所と隣接してスロットが形成された本体を含む、歯科用Ｘ線システムで使用するための顎置きに関する。第２部分まで延びる第１部分が、スロットに摺動自在に受け入れられる。第１部分とは反対側の第２部分の端部は、この端部と隣接して縮径断面領域を有し、この領域は、歯科用Ｘ線システムの作動中に患者の頭部の位置を固定するため、患者の上下の向き合った前歯間に受け入れられるように形成されており且つ配置されている。領域及び第２部分には、移行縁部が実質的にない。
【発明の効果】
【０００９】
本発明の利点は、安価に製造できるということである。
本発明の別の利点は、大きな側方咬合表面を提供することである。
本発明の更に別の利点は、患者の快適性を向上するため、大きな側方咬合表面の厚さが小さいということである。
【００１０】
本発明の追加の利点は、咬合溝及び歯から両側で遠ざかるように角度をなした球状端輪郭を備えており、患者が溝を噛むことと関連した患者の歯及び歯肉の不快感を軽減することである。
【００１１】
本発明の更に追加の利点は、Ｘ線システムの作動中に放射線感受性フィルムにアーティファクトが誤って投射されることを最少にすることである。
本発明の別の利点は、Ｘ線システムの作動中に放射線感受性フィルムに投射される影の量を減少することである。
【００１２】
本発明の更に別の利点は、バイトピースの輪郭により、放射線写真の品質を向上し、患者の頭部の位置の安定性を向上することである。
本発明の追加の利点は、患者の頭部の位置を固定することである。
【００１３】
本発明のこの他の特徴及び利点は、本発明の原理を例示する添付図面を参照して、好ましい実施例の以下の更に詳細な説明を読むことにより、明らかになるであろう。
【発明を実施するための最良の形態】
【００１４】
添付図面に亘り、同じ又は同様の部分に言及する上で可能な限り同じ参照番号を使用する。
本発明のバイトピース２８を持つ歯科用装置１０の一実施例を図１に示す。好ましくは、歯科用装置１０は、歯科用装置１０を支持するフロアから延びるコラム１２を含む。このコラム１２は、レール２０及び顎置き１６を摺動可能に支持する。レール２０は、歯科用装置１０の作動時に患者（図示せず）が掴むため、コラム１２から遠ざかるように人間工学的に優しい方向に延びる一つ又はそれ以上のバーを含んでいてもよい。レール２０により、患者（図示せず）は、顎を顎置き１６に置いて位置を定めた後、自分の位置を便利に安定させることができる。コラム１２の端部から延びる、フロアと向き合った片持ち梁部材１４が、逆Ｕ字形状構造１８を実質的に垂直な軸線２２を中心として支持する。Ｕ字形状構造１８は、Ｘ線源を収容した第１突出部１７と、放射線感受性材料を収容した第２突出部１９とを含み、これらの突出部１７、１９は、ウェブ２１に連結されており且つこのウェブによって支持されている。歯科用装置１０の作動中、突出部１７、１９を患者の頭部を中心として回転し、患者の顎全体の歯生状態の連続した放射線写真を撮影する。
【００１５】
図１乃至図４を参照すると、顎置き１６の本体２４は、患者の顎を載せて固定するための凹所２６と、バイトピース２８を摺動可能に受け入れるためのスロット２９を有する。好ましくは、歯科用装置１０の作動中、バイトピース２８に形成された周溝４４で患者の上下の前歯を合わせ、患者の頭部を固定位置に固定する。随意であるが、以下に更に詳細に説明するように、溝４４は周溝でなくてもよい。歯科用装置１０の作動中に患者の頭部が不時に横方向に回転しないようにするのを補助するため、本体２４の両端にヒンジ取り付けされた一対のアーム３０を回転させて患者の頭部と接触させる。しかしながら、頭部と接触する他の構造を使用してもよい。こうした構造には、例えばＵ字形状構造１８から突出するデバイスが含まれる。好ましくは、顎置き１６及びレール２０並びにＸ線源及び放射線感受性フィルムを収容したＵ字形状構造１８の位置を患者に合わせて調節してもよい。
【００１６】
図１乃至図６を参照すると、バイトピース２８は摺動部分３２を含み、この摺動部分３２は湾曲部分３４まで延びている。摺動部分３２は、好ましくは実質的に直線状であり、湾曲部分３４で終端する。摺動部分３２は、顎置き１６のスロット２９に受け入れられる。摺動部分３２は、好ましくは、Ｄ字形状断面を有し、更に好ましくは、Ｄ字形状の平らな部分の実質的に反対側に、摺動部分３２から半径方向外方に延びるリブ３６を有する。Ｄ字形状断面及びリブ３６が顎置き１６の対応するスロット２９に受け入れられることにより、バイトピース２８がスロット２９内で摺動部分３２の軸線を中心として回転しないようにするのを補助する。こうした移動が起らないようにすることによって、患者の頭部の位置を更に安定させる。好ましくは、湾曲部分３４が顎置き１６の上方に延びる最小高さ位置を提供するため、リブ３６の反対側に、及び湾曲部分３４を摺動部分３２から分ける場所で、ストップ３８がバイトピース２８から外方に延びている。摺動部分３６についてＤ字形状断面が示してあるが、円形、六角形、正方形等の他の形状を使用してもよいということは理解されるべきである。
【００１７】
湾曲部分３４は、好ましくは、一端のストップ３８から他端の球状部４２まで延びる湾曲した経路を形成する。好ましくは、ストップ３８と隣接した湾曲部分３４の湾曲の程度が比較的大きく、球状部４２と隣接した実質的に直線状の部分まで徐々に延びている。好ましくは、実質的に直線状の部分は、患者のアクセスを容易にするため、実質的に水平である。患者のアクセスを更に改良するため、球状部４２と隣接して周溝４４を形成する。周溝４４は、球状部４２と湾曲部分３４との間に隙間領域４６を有する。患者が溝４４を噛むと、患者の上下の前歯即ち切歯が溝４４の両側と接触するようになっている。好ましい実施例では、溝４４が実質的に垂直な平面４８と交差する場所では、溝４４の両側の間の距離５８が小さくなっていることを図６に示す。交差部は、実質的に楕円形断面６２を形成する。好ましくは、平面４８は、球状部４２の中央を通って球状部４２の長さに沿って延びる軸線６０に対して垂直である。楕円形断面６２により、患者の頭部の位置を固定する上での安定性を向上する。これは、患者の歯との表面接触が、円形断面等の他の幾何学的構成よりも大きいためである。患者の位置の安定性を向上することに加え、患者の快適性のレベルも向上する。これは、溝４４の両側間の距離を小さくしたためである。
【００１８】
随意であるが、溝４４は周溝でなくてもよい。即ち、図３の６−６線に沿った図６と同様の断面図である図１１に示すように、楕円形断面６２は、横方向に、球状部４２と湾曲部分３４との間の接合部の外面の両部分まで延びている。この場合、溝４４は、上下の部分又は区分に二分される。これは、これ以外については、図６に示す溝４４の実施例と同じである。しかしながら、この実施例に関わらず、小さくした距離５８は、好ましくは、図６及び図１１に示すように、断面内で実質的に水平方向中央にあるが、これは必要ではない。別の言い方をすると、上部分に沿った溝４４の最大深さは、必ずしも、下部分に沿った溝４４の最大深さと等しくなくてもよいということは理解されるべきである。
【００１９】
球状部４２と湾曲部分３４との間の隙間領域４６の輪郭により、患者の快適性が更に向上する。好ましくは、垂直方向平面４８は、垂直方向平面４８と、球状部４２の隣接した表面との間に隙間角度５０を形成する。同様に、垂直方向平面４８と、湾曲部分３４の隣接した表面との間に隙間角度５２を形成する。好ましい実施例では、隙間角度５０及び５２は実質的に等しく、これらの隙間角度５０と５２との間の移行部及び湾曲部分３４及び球状部４２の隣接した表面に丸みが付けてある。更に、隙間角度５０及び５２は、溝４４の下面及び溝４４の上面の両方と対応するのが好ましい。隙間角度５０及び５２は、患者の歯と歯肉との間に、及び球状部４２及び湾曲部分３４の隣接した表面間に十分な隙間を提供するように形成される。好ましくは、隙間角度５０、５２は、約２０°乃至約５０°である。隙間角度を、溝４４の部分と、球状部４２及び湾曲部分３４の隣接した表面との間で示したが、隙間領域４６は、患者に不快感を与える縁部を形成しない溝４４を形成するように球状部４２と湾曲部分３４との間の材料を除去することによって得られた任意の輪郭によって形成されていてもよいということは理解されるべきである。
【００２０】
バイトピースは、更に、患者の頭部の整合を補助するため、湾曲部分３４から外方に延びる押縁４０を含む。この押縁４０は、好ましくは、湾曲部分３４の上面の中心線に沿って配置され、患者を横方向で焦点トラフ内に適正に整合するための患者の正中矢状平面を確立する。換言すると、押縁４０は、視覚的整合基準として使用できる。これは、Ｘ線システムから投射したレーザーで発生させた正中矢状線等の、Ｘ線システムの部分であってもよい整合特徴と関連する。
【００２１】
湾曲部分３４及び球状部４２の断面輪郭は円形の断面形状を形成するが、重要なことは、円形の断面形状は、先が尖った移行縁部が実質的にないということである。このような移行縁部は、放射線写真に誤ったアーティファクトを導入してしまうことがあるため、放射線写真の品質を向上する。更に、湾曲部分３４及び球状部４２の断面輪郭が楕円形の好ましい実施例では、放射線写真の品質が更に向上する。この追加の品質向上は、Ｘ線ビームが通過しなければならない材料の断面積が減少するためである。球状部４２及び溝４４を含む湾曲部分３４の断面積を減少することによって、結果的に得られる放射線写真の影の量が減少し、これによって、放射線写真の明瞭さを向上する。
【００２２】
バイトピース２８は、Ｘ線に露呈する上で、及び患者が使用する上で適合性の、十分な材料強度及び剛性を持つ任意の材料で形成できるが、高密度ポリエチレン（ＨＤＰＥ）等のポリマーを使用するのが好ましい。ＨＤＰＥは完全にリサイクルでき且つ使い捨てできる。更に、ＨＤＰＥはオートクレーブと関連した温度に耐えることができないため、バイトピースをＨＤＰＥで形成することにより、バイトピース２８の使用は一人の患者に制限される。
【００２３】
図７乃至図１０を参照すると、顎置き１６で使用するための調節自在の一対のこめかみ支持棒１３４の一実施例が示してある。棒１３４は、顎置き１６に置いた患者の頭部と接触するための、一端の実質的に平らな部分１３５から延びる細長い部材である。棒１３４の他端は、非円形輪郭の突出部分１５０まで延び、更に、好ましくは円形の輪郭を形成するシャフト部分１４８まで延びる。顎置き１６の本体内には、一対のシリンダ１４０が収容されている。これらのシリンダの各々は、顎置き１６内で、夫々の軸線１４１、１４２を中心として回転自在である。各シリンダ１４０は通路１４４を含み、この通路１４４の開口部と隣接して、非円形の凹所部分１４６が設けられている。好ましくは、通路１４４がシャフト部分１４８を受け入れ、非円形の凹所部分１４６が非円形の突出部分１５０を受け入れる。非円形の凹所部分１４６が非円形の突出部分１５０と噛み合うことにより、各棒１３４は、夫々の軸線１４１、１４２を中心として、シリンダ１４０とともに回転する。
【００２４】
棒１３４間の相対的回転移動を制御するため、ベルト１４５等の連結部材を、各シリンダ１４０の周囲の溝１４７内に延ばすこと等によって、シリンダ１４０の各々の一部と同時に摩擦接触させてある。ベルト１４５の張力は、所望の摩擦接触を行うのに十分である。ベルト１４５を交差させて８字形状を形成することにより、一方の棒１３４を基準垂直軸線１３６から遠ざかるように他方の棒１３４に向かって回転すると、これと同時に他方の棒１３４がその基準垂直軸線１３７から一方の棒１３４に向かって回転するということは当業者には理解されよう。基準垂直軸線１３６及び１３７は、実質的に平行である。別の言い方をすると、棒１３４は、ベルト１４５との摩擦接触により、互いに向かって等角度回転するように形成されている。垂直軸線１３６、１３７に対して対称に回転させることにより、各棒１３４の夫々の端部１３５を互いに向かって押圧し、患者の頭部を中央位置に置き、これによって一貫した再現性のある位置決めシステムが得られる。換言すると各棒１３４の端部１３５が患者の頭部の両側と接触したとき、患者の頭部は中央位置に固定され、歯科用放射線写真を得るための最適の再現性のある位置を提供する。棒１３４の端部１３５が患者の頭部と接触した状態を維持するため、少量の圧縮力が望ましい。これは、捩じりばね（図示せず）又は他の同様のデバイスによって容易に行うことができる。即ち捩じりデバイスが棒１３４の端部１３５を互いに向かって押圧するのである。
【００２５】
患者の頭部を顎置き１６に置いて歯科用装置１０を作動した後に棒１３４の端部１３５の圧縮力が互いに向かうのが望ましいけれども、必ずしもそうなっているわけではない。換言すると、患者を最初に顎置き１６に置くとき、棒１３４の端部１３５が互いに隣接して位置決めされているのは望ましくない。これは、最初に患者の頭部を棒の間に位置決めしなければならないためである。患者がその頭部を棒１３４の間に置くことができるように端部１３５が十分に離間された位置に棒１３４の回転配向を係止するため、ばね負荷されたプランジャー１５４等の戻り止めを設けるのが望ましい。患者がその頭部を顎置き１６に置いた後、戻り止めを係止解除位置に置くことができ、これによって、端部１３５を互いに向かって回転させ、患者の頭部を上文中に説明したように固定する。図９は、プランジャー１５４の頭部を押し込むことによって得られる、戻り止め１５２の係止位置を示す。プランジャー１５４は、係止デバイス（図示せず）によってその押し込み位置に係止され、その結果、プランジャー１５４のチップ１５６は、シリンダ１４０の外面と当接接触した状態に置かれ、シリンダ１４０が回転しないようにする。逆に、図１０は、戻り止め１５２の係止解除位置を示す。これは、プランジャー１５４の頭部を再び押し込んで係止デバイスの係合を解除することによって行われる。係止デバイスを係合解除することによって、顎置き１６の本体とプランジャー１５４の頭部との間に配置されたばね１６０でプランジャー１５４のチップ１５６を押圧し、シリンダ１４０の表面と接触した状態から外し、これらの間に隙間１５８を形成する。プランジャー１５４とシリンダ１４０との間に隙間１５８を形成することによって、捩じりばねが、次いで、棒１３４の端部１３５を互いに向かって押圧し、患者の頭部と接触させる。従って、戻り止め１５２は、棒１３４を使用することが所望とされるまで、棒１３４を患者から離しておくための便利な方法を提供する。この場合、戻り止め１５２を押すことにより、棒１３４を作動させる。
【００２６】
別の態様では、図１２は、棒１３４を所望の通りに移動するための変形例の構成を示す。顎置き１６は、一対の通路１８４を含む。これらの通路１８４は、各々、シャフト部分１８６を受け入れる。次いで、シャフト部分１８６を棒１３４に連結する。シャフト部分１８６は、一端にノッチ部分１８８を有し、棒１３４が連結される他端に頭部１９０を有する。ピン１９６を頭部１９０と隣接して挿入する。各通路１８４は、シャフト部分１８６の各方向での回転を制限するための一組のストップ１９４を含む。回転の制限は、ピン１９６がストップ１９４に当接することによって行われる。シャフト部分１８６のノッチ１８８が、プレート１９８のノッチ穴２００と係合する。ノッチ穴２００の両側には、穴２０２、２０４が設けられている。ばね１８０の一端がピン２１２によって固定されており、ばねの他端はリンク部材２０６にフック２０８によって固定されている。リンク部材２０６の、フック２０８とは反対側のフック２１０がプレート１９８の穴２０２と係合する。連結ロッド１８２の一端が穴２０４と係合し、連結ロッド１８２の他端がプレート１９９の穴２０２と係合する。
【００２７】
ばね１８０及びリンク部材２０６は、プレート１９８の穴２０２を押圧してプレート１９９に向かって回転するような大きさを備えている。同様に、連結ロッド１８２によって、プレート１９９の穴２０２が押圧されてプレート１９８に向かって回転される。更に、プレート１９８、１９９（及び棒１３４）の回転は、上文中に論じたように、実質的に等しく且つ逆である。しかしながら、図１２に示す戻り止め特徴は、上文中に論じた戻り止めとは異なる態様で作動する。一方の通路１８４には、ストップ１９４と隣接して溝１９２が形成されている。通常の作動では、ピン１９６は、溝１９２と遭遇することなく、シャフト部分１８６の軸線を中心として回転する。棒１３４を固定位置に係止する戻り止め特徴を使用するため、シャフト部分１８６の頭部１９０に力を加え、頭部１９０をばね１８０に向かって差し向ける。これと同時に、溝１９２とピン１９６が整合するように、頭部１９０を所定位置まで回転する。ピン１９６と溝１９２との間が整合した後、ピン１９６が溝１９２と係合し、これによって戻り止めを係止する。戻り止めを係止解除するためには、頭部１９６にばね１８０から遠ざかるのに十分な力を加え、ピン１９６を溝１９２と係合した状態から解除する。
【００２８】
本発明を好ましい実施例を参照して説明したが、本発明の範囲から逸脱することなく、様々な変更を行ってもよいし、そのエレメントについての代替物を使用してもよいということは当業者には理解されよう。更に、本発明の要旨から逸脱することなく、特定の状況又は材料を本発明の教示に適合するため、多くの変形を行ってもよい。従って、本発明を実施する上で考えられる最良の態様として開示した特定の実施例に本発明を限定しようとするものではなく、本発明は、特許請求の範囲の範疇の全ての実施例を含むものである。
【図面の簡単な説明】
【００２９】
【図１】図１は、本発明のバイトピースを持つ歯科用装置の斜視図である。
【図２】図２は、本発明のバイトピースを持つ顎置きの斜視図である。
【図３】図３は、本発明のバイトピースの側面図である。
【図４】図４は、本発明のバイトピースの斜視図である。
【図５】図５は、本発明のバイトピースの摺動部分の一実施例の断面図である。
【図６】図６は、本発明のバイトピースの図３の６−６線に沿った溝の一実施例の断面図である。
【図７】図７は、本発明の歯科用装置の顎置きで使用するための関節連結棒の斜視図である。
【図８】図８は、本発明の歯科用装置の顎置きで使用するための関節連結棒の斜視図である。
【図９】図９は、本発明の歯科用装置の、図８の９−９線に沿った顎置きの断面図である。
【図１０】図１０は、本発明の歯科用装置の、図８の９−９線に沿った顎置きの断面図である。
【図１１】図１１は、本発明のバイトピースの図３の６−６線に沿った溝の一実施例の断面図である。
【図１２】図１２は、本発明の歯科用装置の顎置き用の機械的リンクの部分分解図である。
【符号の説明】
【００３０】
１０  歯科用装置
１２  コラム
１４  片持ち梁部材
１６  顎置き
１７  第１突出部
１８  逆Ｕ字形状構造
１９  第２突出部
２０  レール
２１  ウェブ
２２  軸線
２４  顎置き本体
２６  凹所
２８  バイトピース
２９  スロット
３０  アーム
３２  摺動部分
３４  湾曲部分
３６  リブ
３８  ストップ
４２  球状部
４４  周溝
４６  隙間領域
【図１】
2008535631.tif 000003
【図２】
2008535631.tif 000004
【図３】
2008535631.tif 000005
【図４】
2008535631.tif 000006
【図５】
2008535631.tif 000007
【図６】
2008535631.tif 000008
【図７】
2008535631.tif 000009
【図８】
2008535631.tif 000010
【図９】
2008535631.tif 000011
【図１０】
2008535631.tif 000012
【図１１】
2008535631.tif 000013
【図１２】
2008535631.tif 000014
【国際調査報告】
2008535631.tif 000015
2008535631.tif 000016
2008535631.tif 000017